(57)【特許請求の範囲】
【請求項１】
周壁部と該周壁部の軸線方向の一端を閉じる底壁部とを有して前記底壁部の中央に回転軸取付用のボス部が設けられたフライホイールと、前記フライホイールの周壁部の内周に固定された永久磁石と、前記フライホイールの周壁部の内側に取り付けられて前記永久磁石を覆う環状の磁石保護カバーとを備え、前記フライホイールの底壁部の前記ボス部を取り囲む領域に該底壁部を貫通した通気孔が形成されているフライホイール磁石回転子において、
前記通気孔が形成された領域よりも外径側に位置させて、前記フライホイールの底壁部の内面から突出して前記周壁部の周方向に連続して伸びる環状の止水用突条部が該底壁部と一体に形成され、
前記磁石保護カバーは、前記フライホイールの周壁部と同心的に配置されて前記永久磁石の内周面を覆う筒状のカバー本体と、前記フライホイールの開口部側に位置する前記カバー本体の軸線方向の一端側から径方向の外側に突出した環状の外鍔部と、前記カバー本体の軸線方向の他端側から径方向の内側に突出した環状の内鍔部とを備え、
前記磁石保護カバーの外鍔部は、前記フライホイールの開口部側に位置する前記永久磁石の軸線方向端面を覆うように配置され、
前記磁石保護カバーの内鍔部は、前記止水用突条部の外側に該突条部の頂部よりも前記フライホイールの底壁部側に位置させた状態で配置されていること、
を特徴とするフライホイール磁石回転子。
【請求項２】
前記磁石保護カバーの内鍔部は、前記止水用突条部の外側で前記フライホイールの底壁部の内面に当接していることを特徴とする請求項１に記載のフライホイール磁石回転子。
【請求項３】
前記止水用突条部の頂部には、該突条部の周方向に連続して伸びていて前記フライホイールの開口方向に開口した溝が形成されていることを特徴とする請求項１または２に記載のフライホイール磁石回転子。
【請求項４】
前記磁石保護カバーの内鍔部と前記フライホイールの底壁部との間に接着剤が介在させられて，該接着剤により前記内鍔部と前記フライホイールの底壁部との間がシールされていることを特徴とする請求項１，２または３に記載のフライホイール磁石回転子。
【請求項５】
前記磁石保護カバーの内鍔部と前記止水用突条部の外周面とに跨って接着剤が塗布されて、該接着剤により前記内鍔部と前記止水用突条部の外周面との間がシールされていることを特徴とする請求項１，２または３に記載のフライホイール磁石回転子。
【発明の詳細な説明】
【技術分野】
【０００１】
本発明は、内燃機関などの原動機により駆動される磁石発電機の回転子として用いられるフライホイール磁石回転子に関するものである。
【背景技術】
【０００２】
磁石発電機の回転子として用いられるフライホイール磁石回転子は、周壁部と底壁部とを有するカップ状の形状に形成されたフライホイールと、フライホイールの周壁部の内周に接着剤により固定された複数の円弧状永久磁石、または単一のリング状永久磁石とを備えていて、フライホイールの底壁部の中央に設けられたボス部が原動機の回転軸に結合されることにより原動機に取り付けられる。フライホイールの周壁部の内周に接着剤により固定された複数の円弧状永久磁石または単一のリング状永久磁石は、フライホイールの周方向にＳ極とＮ極とが交互に並ぶように着磁され、該永久磁石により、フライホイールの内側に所定の極数の界磁が構成される。
【０００３】
永久磁石としてはフェライト磁石や希土類磁石などの焼結磁石が用いられるが、焼結磁石は脆く、割れやすいため、特許文献１に示されているように、フライホイールの周壁部の内側に永久磁石を覆う環状の磁石保護カバーを取り付けることが行われている。
【０００４】
図７は永久磁石として希土類磁石を用いた従来のフライホイール磁石回転子の半部を示した断面図である。同図において１は周壁部１aと、底壁部１bとを有する鉄製のフライホイールで、底壁部１bの中央部には、ボス部１cが一体に形成されている。フライホイール１の周壁部１aは、フライホイールの開口部側のほぼ半部を占める第１の周壁部１a1と、他のほぼ半部を占める第２の周壁部１a2とからなっていて、第１の周壁部１a1と第２の周壁部１a2との間には段部１dが形成されている。図７に示した例では、フライホイールの底壁部１bのボス部１cを取り囲む領域に底壁部１bを貫通した通気孔１fが複数個形成されている。
【０００５】
２は、第１の周壁部１a1の内周に取り付けられた希土類磁石である。磁石２は、その一方の軸線方向端面２ａが、非強磁性材料からなるスぺーサ３を介して段部１dに当接されてフライホイールの軸線方向に位置決めされている。
【０００６】
４は非強磁性材料からなる磁石保護カバーで、この磁石保護カバーは、フライホイール１の周壁部と同心的に配置されて永久磁石２の内周面を覆う筒状のカバー本体４０１と、フライホイールの開口部側に位置するカバー本体４０１の軸線方向の一端側から径方向の外側に突出した環状の外鍔部４０２と、カバー本体４０１の軸線方向の他端側から径方向の内側に突出した環状の内鍔部４０３とを備え、カバー本体４０１の内鍔部４０３寄りの部分は、フライホイールの底壁部１ｂに近づくに従ってフライホイールの径方向の内側に向かうように傾斜した傾斜部４０４となっている。
【０００７】
磁石保護カバー４の外鍔部４０２は、各部の断面が円弧状を呈するように形成されて、フライホイール１の開口部側に位置する永久磁石２の他方の軸線方向端面を覆うように配置され、磁石保護カバー４の内鍔部４０３は、フライホイールの底壁部の内面に当接させられている。
【０００８】
フライホイールの周壁部１ａの開口端の内周部に磁石保護カバー４の外鍔部４０２を押さえるシーミング加工部１ｇが形成され、このシーミング加工部により外鍔部４０２を介して磁石２が段部１ｄ側に押し付けられて、磁石２がフライホイール１に対して固定されている。
【０００９】
フライホイール１と、永久磁石２と、磁石保護カバー４とにより、フライホイール磁石回転子ＦＷＲ′が構成されている。
【００１０】
図７に示した例では、磁石２とフライホイールの周壁部１ａとの間に働く磁気吸引力と、シーミング加工部１ｇによる押さえとにより磁石２がフライホイールに固定されているが、磁石２をフライホイール１の周壁部１ａに接着する場合もある。磁石２をフライホイールの周壁部の内周に接着する場合には、図８に示すように、余剰の接着剤の一部が通気孔１ｆから外部に流れ出すのを防ぐために、フライホイールの底壁部の内面にボス部１ｃを取り囲む環状の接着剤漏れ止め用突条部１ｅ′を形成し、保護カバー４の内鍔部４０３を突条部１ｅ′の頂部の上に載せている。
【００１１】
永久磁石２をフライホイールの周壁部の内周に接着する際には、フライホイール１の開口部を上方に向けた状態で、磁石２と第１の周壁部１a1の内周との間に未硬化の状態で流動性を有する接着剤を浸透させて硬化させる。周壁部１a1と磁石２との間に供給された接着剤のうち、余分な接着剤は、フライホイールの第２の周壁部１a2の内周面を流動して底壁部１ｂの内面に達し、接着剤漏れ止め用突条部１ｅ′により流動を阻止される。従って、突条部１ｅ′と第２の周壁部１a2との間の部分で余剰接着剤５が硬化し、通気孔１ｆ側に接着剤が流出するのが防止される。
【００１２】
この場合も、フライホイール１と、永久磁石２と、磁石保護カバー４とにより、フライホイール磁石回転子ＦＷＲ″が構成されている。この種のフライホイール磁石回転子は特許文献２に示されている。
【特許文献１】特開平１−９９４４８号公報
【特許文献２】特開２０００−３２４７７９号公報
【発明の開示】
【発明が解決しようとする課題】
【００１３】
船外機のように、回転軸が垂直方向に向いている機関にフライホイール磁石回転子を取り付ける場合には、図７及び図８に示されているように、フライホイール１の底壁部１ｂを上に向け、その開口部を下に向けた状態でフライホイール磁石回転子が機関に取り付けられる。このように、底壁部１ｂを上に向けた状態でフライホイール１を原動機に取り付けた場合には、フライホイールの底壁部１ｂに設けられた通気孔１ｆを通して外部からフライホイール内に水が侵入することがある。
【００１４】
ところが、図７に示した従来のフライホイール磁石回転子ＦＷＲ′においては、磁石保護カバー４の内鍔部４０３がフライホイールの底壁部１ｂの内面に当接されていたため、通気孔１ｆを通して侵入した水Ｗのうち、底壁部１ｂの内面に沿って回り込んだ分が磁石保護カバー４の内鍔部４０３と底壁部１ｂとの間の僅かな隙間を通して保護カバー４とフライホイールの周壁部１ａとの間の空間に浸入することがあった。
【００１５】
また図８に示したフライホイール磁石回転子においても、磁石保護カバー４の内鍔部４０３がフライホイールの底壁部の内面に形成された突条部１ｅ′の頂部に軸線方向から当接させられていたため、通気孔１ｆを通して水Ｗが侵入した際に、この水が磁石保護カバー４の内鍔部４０３と突条部１ｅ′の頂部との間の僅かな隙間から、保護カバー４とフライホイールの周壁部１ａとの間の空間に浸入することがあった。
【００１６】
保護カバー４とフライホイールの周壁部１ａとの間の空間に水が入ると、磁石２が水で濡れるため、磁石２に錆びが発生して、磁石の性能が劣化するだけでなく、磁石の接着強度が低下するおそれがあり、好ましくなかった。特に船外機等において、フライホイール内に海水が侵入した場合には、磁石２での錆の発生が顕著に認められ、問題が大きくなる。
【００１７】
本発明の目的は、フライホイールの底壁部に設けられた通気孔を通してフライホイール内に侵入した水が磁石保護カバーとフライホイールの周壁部との間の空間に浸入するのを防止して、磁石に錆が生じるおそれを無くしたフライホイール磁石回転子を提供することにある。
【課題を解決するための手段】
【００１８】
本発明は、周壁部と該周壁部の軸線方向の一端を閉じる底壁部とを有して底壁部の中央に回転軸取付用のボス部が設けられたフライホイールと、フライホイールの周壁部の内周に固定された永久磁石と、フライホイールの周壁部の内側に取り付けられて永久磁石を覆う環状の磁石保護カバーとを備えて、フライホイールの底壁部のボス部を取り囲む領域に該底壁部を貫通した通気孔が形成されているフライホイール磁石回転子に係わるものである。
【００１９】
本発明においては、通気孔が形成された領域よりも外径側に位置させて、フライホイールの底壁部の内面から突出して周壁部の周方向に連続して伸びる環状の止水用突条部が底壁部と一体に形成される。また磁石保護カバーは、フライホイールの周壁部と同心的に配置されて永久磁石の内周面を覆う筒状のカバー本体と、フライホイールの開口部側に位置するカバー本体の軸線方向の一端側から径方向の外側に突出した環状の外鍔部と、カバー本体の軸線方向の他端側から径方向の内側に突出した環状の内鍔部とを備え、磁石保護カバーの外鍔部は、フライホイールの開口部側に位置する永久磁石の軸線方向端面を覆うように配置され、磁石保護カバーの内鍔部は、止水用突条部の外側に該突条部の頂部よりもフライホイールの底壁部側に位置させた状態で配置されている。
【００２０】
上記のように、通気孔が形成された領域よりも外径側に位置させて、フライホイールの底壁部の内面から突出して周壁部の周方向に連続して伸びる環状の止水用突条部を底壁部と一体に設けるとともに、磁石保護カバーの内鍔部を、環状の止水用突条部の外側に、該突条部の頂部よりもフライホイールの底壁部側に位置させた状態で配置しておくと、フライホイールの底壁部を上にし、開口部を下にした状態でフライホイール磁石回転子を配置したときに、フライホイールの底壁部に設けられた通気孔を通して外部から侵入した水は、磁石保護カバーの内側に回り込むことなく落下する。そのため、磁石保護カバーとフライホイールの周壁部との間に水が入って、磁石が水で濡れるのを防ぐことができ、磁石に錆びが発生して磁石の性能が劣化したり、磁石の接着強度が低下したりするのを防ぐことができる。
【００２１】
本発明の好ましい態様では、磁石保護カバーの内鍔部が、止水用突条部の外側でフライホイールの底壁部の内面に当接した状態で配置される。
【００２２】
本発明の他の好ましい態様では、止水用突条部の頂部に、該突条部の周方向に連続して伸びていて、フライホイールの開口方向に開口した溝が形成されている。
【００２３】
上記のように、止水用突条部の頂部に溝を設けておくと、通気孔を通してフライホイール内に侵入した水が止水用突条部の外側に回り込むおそれを無くすことができるため、磁石保護カバーとフライホイールの周壁部との間に水が入るのを確実に防ぐことができる。
【００２４】
本発明の更に他の好ましい態様では、磁石保護カバーの内鍔部とフライホイールの底壁部との間に接着剤が介在させられて，該接着剤により内鍔部とフライホイールの底壁部との間がシールされている。
【００２５】
本発明の他の好ましい態様では、磁石保護カバーの内鍔部と止水用突条部の外周面とに跨って接着剤が塗布されて、該接着剤により内鍔部と止水用突条部の外周面との間がシールされている。
【００２６】
上記のように、磁石保護カバーの内鍔部とフライホイールの底壁部との間に接着剤を介在させて、磁石保護カバーの内鍔部とフライホイールの底壁部との間を接着剤によりシールするか、または磁石保護カバーの内鍔部と止水用突条部の外周面とに跨って接着剤を塗布して、該接着剤により内鍔部と止水用突条部の外周面との間をシールしておくと、磁石保護カバーとフライホイールの周壁部との間に水が入るおそれを皆無にすることができる。
【発明の効果】
【００２７】
以上のように、本発明によれば、フライホイールの底壁部の通気孔が形成された領域よりも外径側に位置させて、フライホイールの底壁部の内面から突出して周壁部の周方向に連続して伸びる環状の止水用突条部を底壁部と一体に設けるとともに、磁石保護カバーの内鍔部を、環状の止水用突条部の外側に、該突条部の頂部よりもフライホイールの底壁部側に位置させた状態で配置したので、フライホイールの底壁部を上にし、開口部を下にした状態でフライホイール磁石回転子を配置したときに、フライホイールの底壁部に設けられた通気孔を通して外部から侵入した水は、磁石保護カバーの内側に回り込むことなく落下する。そのため、磁石保護カバーとフライホイールの周壁部との間に水が入って、磁石が水で濡れるのを防ぐことができ、磁石に錆びが発生して磁石の性能が劣化したり、磁石の接着強度が低下したりするのを防ぐことができる。
【発明を実施するための最良の形態】
【００２８】
以下図面を参照して、本発明の好ましい実施形態を詳細に説明する。
図１ないし図３は本発明の第１の実施形態を示したもので、図１は本発明の一実施形態に係わるフライホイール磁石回転子の底面図（フライホイールの開口部側から見た図）、図２は、図１のII−II線断面図、図３は要部の拡大断面図である。
【００２９】
これらの図において、１は周壁部１aと、該周壁部の軸線方向の一端を閉じる底壁部１bとを有する鉄製のフライホイールで、底壁部１bの中央部には、ボス部１cが一体に形成されている。
【００３０】
なお本実施形態では、フライホイールの底壁部１ｂの中央に設けるボス部１ｃを底壁部１ｂと一体に形成しているが、フライホイールの底壁部の中央に設けるボス部を底壁部と別体に形成して、該ボス部を底壁部にリベット止めする場合もある。
【００３１】
フライホイール１の周壁部１aは、フライホイールの開口部側のほぼ半部を占める第１の周壁部１a1と、他のほぼ半部を占める第２の周壁部１a2とからなっていて、第１の周壁部１a1と第２の周壁部１a2との間に段部１dが形成されている。また底壁部１bのボス部１ｃを取り囲む領域には、底壁部１ｂを貫通した４個の通気孔１ｆが等角度間隔で形成され、フライホイールの底壁部１ｂの通気孔１ｆ，１ｆ，…が形成された領域よりも外径側に位置させて、底壁部１ｂの内面から突出して周壁部１ａの周方向に連続して伸びる環状の止水用突条部１ｅが底壁部１ｂと一体に形成されている。
【００３２】
通気孔１ｆは、フライホイールの内側に配置される電機子を冷却する冷却風の取り入れ口として用いられる他、フライホイールのボス部１ｃを原動機の回転軸（例えばエンジンのクランク軸）に嵌合させて、ネジ部材によりフライホイールを回転軸に締結する際に、フライホイールの回り止めを図る工具を挿入するための孔としても用いられる。
【００３３】
２はフライホイール１の周壁部の内周に沿うように円弧状に形成された希土類磁石で、本実施形態では、磁石２が１２個設けられている。磁石２は、第１の周壁部１a1の内周に等角度間隔で配置されて、それぞれの一方の軸線方向端面２ａが、アルミニウムやステンレス鋼等の非強磁性材料（強磁性材料以外の材料）からなるスぺーサ３を介して，段部１ｄに当接されて、フライホイールの軸線方向に対して位置決めされている．
【００３４】
１２個の希土類磁石２は、フライホイールの内周側にＮ極とＳ極とが交互に並ぶように、交互に着磁方向を異ならせて、径方向に着磁され、これらの磁石により１２極の回転界磁が構成されている。
【００３５】
希土類磁石は厚みが薄いため、段部１ｄに直接当接させて位置決めすると段部１ｂを通して流れる漏洩磁束の量が多くなり、発電に寄与する有効磁束量が減少してしまう。そのため、本実施形態では、各磁石２の一方の軸線方向端面２ａを、アルミニウムやステンレス鋼等の非強磁性材料からなるスぺーサ３を介して段部１dに当接させることにより、各磁石をフライホイールの軸線方向に位置決めしている。
【００３６】
４は非強磁性材料からなる磁石保護カバーで、フライホイール１の周壁部と同心的に配置されて永久磁石２の内周面を覆う筒状のカバー本体４０１と、フライホイールの開口部側に位置するカバー本体４０１の軸線方向の一端側から径方向の外側に突出した環状の外鍔部４０２と、カバー本体４０１の軸線方向の他端側から径方向の内側に突出した環状の内鍔部４０３とを一体に備え、カバー本体４０１の内鍔部４０３寄りの部分は、フライホイールの底壁部１ｂに近づくに従ってフライホイールの径方向の内側に向かうように傾斜した傾斜部４０４となっている。
【００３７】
磁石保護カバー４の外鍔部４０２は、各部の断面が円弧状を呈するように形成されて、フライホイール１の開口部側に位置する永久磁石２の他方の軸線方向端面を覆うように配置されている。磁石保護カバー４の内鍔部４０３は、フラットに形成されて、止水用突条部１ｅの外側に、該突条部１ｅの頂部１e1よりもフライホイールの底壁部１ｂ側に位置させた状態で配置される。本実施形態では、磁石保護カバー４の内鍔部４０３が、突条部１ｅの外側で、フライホイールの底壁部１ｂの内面に当接させられている。
【００３８】
永久磁石２をフライホイールの周壁部の内周に接着する際には、フライホイール１の開口部を上方に向けた状態で、フライホイール１を作業台の上に配置して、フライホイールの第１の周壁部１a1の内周に永久磁石２を配置し、磁石２と第１の周壁部１a1の内周との間に未硬化の状態で流動性を有する接着剤を浸透させて硬化させる。周壁部１a1と磁石２との間に供給された接着剤のうち、余分な接着剤は、フライホイールの第２の周壁部１a2の内周面を流動して底壁部１ｂの内周に達し、磁石保護カバーの内鍔部４０３と止水用突条部１ｅとにより流動を阻止される。従って、磁石保護カバーの内鍔部４０３とフライホイールの第２の周壁部１a2との間の部分で余剰接着剤５が硬化し、通気孔１ｆ側に接着剤が流出するのが防止される。
【００３９】
本実施形態では、フライホイール１と、永久磁石２と、磁石保護カバー４とにより、フライホイール磁石回転子ＦＷＲが構成されている。
【００４０】
図４は、本発明の第２の実施形態の要部を示した断面図である。この実施形態では、磁石保護カバー４の内鍔部４０３が、止水用突条部１ｅの外側に、該突条部１ｅの頂部１e1よりもフライホイールの底壁部１ｂ側に位置させ、かつ底壁部１ｂからは浮かせた状態で配置されている。
【００４１】
通気孔１ｆから侵入した水が磁石保護カバー４とフライホイールの周壁部との間に浸入するのを防ぐためには、磁石保護カバー４の内鍔部４０３を、止水用突条部１ｅの外側に、該突条部１ｅの頂部１e1よりもフライホイールの底壁部１ｂ側に位置させた状態で配置すればよいため、図４に示したように、磁石保護カバー４の内鍔部４０３を、フライホイールの底壁部１ｂから浮かせた状態で配置しても支障を来さない。
【００４２】
図５は、本発明の第３の実施形態の要部を示した断面図である。この実施形態では、止水用突条部１ｅの頂部１e1に、突条部１ｅの周方向に連続して伸びていてフライホイールの開口方向に開口した溝１e2が形成されている。その他の構成は図１ないし図３に示した例と同様であり、磁石保護カバー４の内鍔部４０３は、突条部１ｅの外側で、フライホイールの底壁部１ｂの内面に当接させられている。
【００４３】
このように、止水用突条部１ｅの頂部１e1に、止水用突条部１ｅの周方向に連続して伸びていてフライホイールの開口方向に開口した溝１e2を形成しておくと、通気孔１ｆを通してフライホイール１内に侵入した水が突条部１ｅの外側に回り込むおそれを無くすことができるため、磁石保護カバー４とフライホイールの周壁部１ａとの間に水が入るのを確実に防ぐことができる。
【００４４】
上記の各実施形態において、磁石保護カバー４の内鍔部４０３とフライホイールの底壁部１ｂとの間に接着剤を介在させて、該接着剤により磁石保護カバーの内鍔部４０３とフライホイールの底壁部１ｂとの間をシールするようにすることもできる。
【００４５】
図７及び図８に示した従来の磁石回転子では、磁石保護カバー４の内鍔部４０３が突条部を有しないフライホイールの底壁部の内面に当接されるか、または突条部１ｅ′の頂部の上に載せられていたため、磁石保護カバーの内鍔部４０３と底壁部１ｂとの間または内鍔部４０３と突条部１ｅ′との間に接着剤を介在させようとすると、接着剤が通気孔１ｆを通して外部に流出してしまうのを避けられなかった。そのため、磁石保護カバーの内鍔部４０３と底壁部１ｂとの間または内鍔部４０３と突条部１ｅ′との間に接着剤を均一に介在させることが困難であり、磁石保護カバーの内鍔部４０３とフライホイールの底壁部１との間または内鍔部４０３と突条部１ｅとの間のシールを的確に図ることができなかった。
【００４６】
これに対し、本発明では、磁石保護カバーの内鍔部４０３を、止水用突条部１ｅの外側に、該突条部の頂部１e1よりもフライホイールの底壁部１ｂ側に位置させた状態で配置するので、突条部１ｅにより接着剤の通気孔１ｆ側への流出を阻止しつつ、磁石保護カバーの内鍔部とフライホイールの底壁部との間に均一に接着剤を介在させて、磁石保護カバーの内鍔部４０３とフライホイールの底壁部１ｂとの間を接着剤によりシールすることができる。
【００４７】
上記の各実施形態では、希土類磁石２をフライホイールの周壁部１ａの内周に接着するようにしたが、希土類磁石２とフライホイールの周壁部１ａとの間に働く磁気吸引力は強力であるため、磁石２を接着することなくフライホイールに取り付けることができる。図６は、磁石２を接着によることなくフライホイールの周壁部１ａに固定する場合に本発明を適用した実施形態を示したもので、この例では、フライホイール１の周壁部１ａの開口端の内周部に磁石保護カバー４の外鍔部４０２を押さえるシーミング加工部１ｇが形成され、このシーミング加工部により外鍔部４０２を介して磁石２が段部１ｄ側に押し付けられることにより、磁石２がフライホイール１に対して固定されている。その他の点は図３に示した実施形態と同様に構成され、磁石保護カバー４の内鍔部４０３は、フラットに形成されて、止水用突条部１ｅの外側に、該突条部１ｅの頂部１e1よりもフライホイールの底壁部１ｂ側に位置させた状態で配置されて、フライホイールの底壁部１ｂの内面に当接させられている。またこの例では、磁石保護カバー４の内鍔部４０３と止水用突条部１ｅの外周面とに跨って接着剤６が塗布されて、該接着剤６により内鍔部４０３と止水用突条部１ｅの外周面との間がシールされている。なお接着剤６はフライホイールの底壁部１ｂと内鍔部４０３との間に介在させるようにしてもよい。
【００４８】
上記のように、磁石保護カバー４の内鍔部４０３とフライホイールの底壁部１ｂとの間、または磁石保護カバー４の内鍔部４０３と止水用突条部１ｅの外周部との間に接着剤を介在させて、磁石保護カバーの内鍔部とフライホイールの底壁部との間または該内鍔部と止水用突条部の外周部との間を接着剤によりシールしておくと、磁石保護カバー４とフライホイールの周壁部１ａとの間に水が入るおそれを皆無にすることができる。
【図面の簡単な説明】
【００４９】
【図１】本発明の第１の実施形態に係わるフライホイール磁石回転子の底面図である。
【図２】図１のII−II線断面図である。
【図３】本実施形態の要部を示す拡大断面図である。
【図４】本発明の第２の実施形態に係わるフライホイール磁石回転子の要部の拡大断面図である。
【図５】本発明の第３の実施形態に係わるフライホイール磁石回転子の要部の拡大断面図である。
【図６】本発明の第３の実施形態に係わるフライホイール磁石回転子の要部の拡大断面図である。
【図７】従来のフライホイール磁石回転子の要部の拡大断面図である。
【図８】従来の他のフライホイール磁石回転子の要部の拡大断面図である。
【符号の説明】
【００５０】
１  フライホイール
１ａ  周壁部
１ｂ  底壁部
１ｃ  ボス部
１ｅ  止水用突条部
１e1  突条部の頂部
１e2  突条部の頂部に設けられた溝
１ｆ  通気孔
４  磁石保護カバー
４０１  カバー本体
４０２  外鍔部
４０３  内側張出し部
【図１】
0004628930.tif 000002
【図２】
0004628930.tif 000003
【図３】
0004628930.tif 000004
【図４】
0004628930.tif 000005
【図５】
0004628930.tif 000006
【図６】
0004628930.tif 000007
【図７】
0004628930.tif 000008
【図８】
0004628930.tif 000009